(57)【特許請求の範囲】
【請求項１】
台枠を合成樹脂で一体に成形し、屋根裏から吊り下げられた吊りボルトに据え付ける着脱自在な取付金具と、前記取付金具と嵌合する取付金具固定部を前記台枠の対向する側面に各々有し、前記取付金具は側面形状がＬ字形を呈し、上下方向に向く板部に開口部が形成され、水平方向に向く板部に前記吊りボルトを挿入する穴が形成されており、前記取付金具固定部は前記台枠の側面に前記取付金具の前記開口部が係合する凸部を備えた弾性を有する爪片と、この爪片の外側を取り囲み下端に開口部を持つ箱体のカバー部とを備え、このカバー部の上端に前記係合を外すための開口部を形成してなることを特徴とする天井埋込形空気調和機。
【請求項２】
台枠を合成樹脂で一体に成形し、屋根裏から吊り下げられた吊りボルトに据え付ける着脱自在な取付金具と、前記取付金具と嵌合する取付金具固定部を前記台枠の対向する側面に各々有し、前記取付金具は側面形状がＬ字形を呈し、上下方向に向く板部に凸部を備えた弾性を有する爪片が形成され、水平方向に向く板部に前記吊りボルトを挿入する穴が形成されており、前記取付金具固定部は前記台枠の側面に前記取付金具の前記凸部が係合する開口部と、この開口部の外側を取り囲み下端に開口部を持つ箱体のカバー部とを備え、このカバー部の上端に前記係合を外すための開口部を形成してなることを特徴とする天井埋込形空気調和機。
【請求項３】
取付金具は水平方向に向く板部の長さの異なるものを備えてなることを特徴とする請求項１または２に記載の天井埋込形空気調和機。
【請求項４】
取付金具は水平方向に向く板部が湾曲しているものを備えてなることを特徴とする請求項１または２に記載の天井埋込形空気調和機。
【請求項５】
台枠を合成樹脂で一体に成形し、屋根裏から吊り下げられた吊りボルトに据え付ける着脱自在な取付金具と、前記取付金具と嵌合する取付金具固定部を前記台枠の対向する側面に各々有し、前記取付金具は１枚の金属板の上端を２つ折りして、上下方向に向く２重構造の板部に開口部を形成し、２重構造の板部の一方に穴が形成されてなる水平方向に向く板部を連設し、この水平方向に向く板部よりも下方に突出する他方の板部の下端に水平方向に向く板部を連設し、この板部に化粧パネル固定穴を設けて、化粧パネルをビスにより固定するように構成してなることを特徴とする天井埋込形空気調和機。
【発明の詳細な説明】
【０００１】
【発明の属する技術分野】
本発明は、天井内に埋め込まれて設置される天井埋込形空気調和機に関するものである。
【０００２】
【従来の技術】
従来のこの種空気調和機としては、例えば図２２，図２３，図２４に示すように天井１の方向に開口を有した箱型の金属製台枠２を金属製台枠本体３と両側板４で構成し、そしてその金属製台枠２の内側には送風回路を構成するエアガイダ５，右側板６，左側板７を設けている。そして右側板６の下方に、モーター支持板８を設けてファンモーター９を支持するとともに、このファンモーター９の回転軸に送風作用を行なうクロスフローファン１０の一端を連結し、また前記左側板７には軸受１１を設け、クロスフローファン１０の他端を連結している。また、熱交換を行う熱交換器１２を右側板６，左側板７に接合し、熱交換器１２の一方に配管と接続する補助配管１３を設けている。さらに、前記金属製台枠２の内側において前記クロスフローファン１０に送風作用を発揮させるスタビライザ１４を設け、また熱交換器１２の下方には熱交換器１２から排出するドレン水を受ける水受皿１５を設け、この水受皿１５の下端を覆い金属製台枠２の下端を強化する底部１６を設けている。水受皿１５の一方には水受皿１５に滞留したドレン水を機外に排出するドレンポンプ１７を設けている。
【０００３】
このように構成された空気調和機１８の下方には天井１を介して空気調和機１８の下方を覆う化粧パネル１９を設けている。この化粧パネル１９は金属製台枠２に取り付けられる。そして前記空気調和機１８を固定するため、金属製台枠２の両側板４に電気溶接などで複数の吊り金具２０を設け、この吊り金具２０を吊りボルト２１に対し吊りボルト２１に螺合させたナット２２を介して固定するようになっている。
【０００４】
【発明が解決しようとする課題】
しかしながら、上記従来の構成の空気調和機は金属製部品点数が多く、製造する上で金属製部品点数をネジ止め、溶接するなど製造工数もかなりかかり、また本体重量もかなり重く運搬、施工時に多大な労力を要するばかりでなく、本体重量が重いが為に施工時に金属製台枠，吊り金具などの部品端面で手や身体に傷つけるなど安全性に欠けていた。また、空気調和機の取り換えなどの時に、古い空気調和機と新しい空気調和機の寸法が異なる場合は、天井から吊り下げられたボルトの位置を新しい空気調和機の寸法に合わし直す必要があるため施工面で問題があった。
【０００５】
本発明は、このような課題を解決するもので、空気調和機を軽量化し、施工性ならびに安全性を向上させるようにすることを目的とするものである。
【０００６】
【課題を解決するための手段】
上記課題を解決するために本発明は、空気調和機の台枠を合成樹脂で一体に形成すると共に、台枠の対向する面に金属製取付金具を設け、台枠から金属製取付金具を着脱自在にするものである。
【０００７】
上記の構成によって、空気調和機を軽量化することとなり、製造工数の削減、作業性の向上、安全性の向上を図ることができる。
【００１０】
【発明の実施の形態】
請求項１に記載の発明は、熱交換器、クロスフローファン、ファンモーター、ドレンポンプなどを内蔵する台枠を合成樹脂で一体に成形し、屋根裏から吊り下げられた吊りボルトに据え付ける着脱自在な取付金具と、前記取付金具と嵌合する取付金具固定部を前記台枠の対向する側面の前後両端近傍部に各々有している。取付金具は側面形状がＬ字形を呈し、上下方向に向く板部に開口部が形成され、水平方向に向く板部の先端に締め付け用ナットを備えた吊りボルトを挿入するほぼＴ字形の切り欠き穴が形成されており、取付金具固定部は前記台枠の側面からＵ字状に突出するように形成され外面の上端近傍部に前記取付金具の前記開口部が係合するように上方に膨らむ凸部を備えた弾性を有する爪片と、この爪片の外側を取り囲み前記取付金具の上下方向に向く板部が前記爪片の凸部から外れないように保持するための下端に開口部を持つ箱体のカバー部とを備え、このカバー部の上端に前記爪片と前記取付金具の上下方向に向く板部との係合を外すための開口部を形成してなるもので、製造工程を容易にし、施工現場で容易に取付金具を交換することができる。
【００１１】
請求項２に記載の発明は、取付金具は側面形状がＬ字形を呈し、上下方向に向く板部に凸部を備えた弾性を有する爪片が形成され、水平方向に向く板部の先端に締め付け用ナットを備えた吊りボルトを挿入するほぼＴ字形の切り欠き穴が形成されており、一方、台枠側の前後両端近傍部には下端に開口部を持つ箱体の取付金具固定部を設け、この取付金具固定部は前記台枠の側面に前記取付金具の凸部が係合するように開口部と前記爪片の凸部から外れないように保持するためのカバー部とを備え、このカバー部の上端に前記開口部と上下方向に向く板部の爪片との係合を外すための開口部を形成してなるもので、施工現場で容易に取付金具を交換することができる。
【００１２】
請求項３に記載の発明は、取付金具は水平方向に向く板部の長さの異なるものを備えてなり、請求項４に記載の発明は、取付金具は水平方向に向く板部が湾曲しているものを備えてなるもので、空気調和機の買い換え、取り換えなどのとき、古い空気調和機と新しい空気調和機の寸法が異なっても吊りボルトの付け替えを行う必要がなく、容易に空気調和機を据え付けることができる。
【００１５】
請求項５に記載の発明は、取付金具は１枚の金属板の上端を２つ折りして、上下方向に向く２重構造の板部に開口部を形成し、２重構造の板部の一方にほぼＴ字形の切り欠き穴が形成されてなる水平方向に向く板部を連設し、この水平方向に向く板部よりも下方に突出する他方の板部の下端に水平方向に向く板部を連設し、この板部に化粧パネル固定穴を設けてなるもので、この構成により取付金具に化粧パネルをビス止めすることができる。
【００１６】
【実施例】
以下本発明の実施例について図面を参照して説明する。
【００１７】
先ず、本発明の第１実施例について説明すると、図１〜図３において、３１は天井３２内に埋め込まれた空気調和機本体、３３は空気調和機本体３１の下方に固定され天井３２の表面に露出した化粧パネルである。３４は化粧パネル３３に設けた吸い込み部、３５は化粧パネル３３に設けた吹き出し開口部である。前記化粧パネル３３は現場で施工業者により後付けとして設置される。３６は空気調和機３１の上半分を構成する合成樹脂製の台枠で、下端が開口している。
【００１８】
３７は送風作用を行うクロスフローファン、３８はクロスフローファン３７の軸３９側を支持する軸受、４０はクロスフローファン３７のボス４１側を支持するファンモーターである。４２は室内空気と冷媒の熱交換を行う熱交換器、４３は熱交換器４２から機外へ導出する補助配管である。また、４４は空気調和機の運転制御を行うコントロール部（図示なし）を収納する電源箱、４５はファンモーター４０を支持するファンモーター取付具である。また４６は熱交換器４２から排出されるドレン水を受ける合成樹脂の成形品と合成樹脂の発泡成型品（たとえば発泡スチロール成型品）を重合させて形成し、空気調和機の下部を構成する水受皿である。４７は水受皿４６の内部に設けられたドレンポンプである。
【００１９】
ところで、前記台枠３６の長手方向の両側面には空気調和機を吊り下げるため、屋根裏から吊り下げられた吊りボルト４８に固定する複数個の取付金具４９が設けられる。
【００２０】
前記取付金具４９と前記台枠３６を接着，溶接，ネジ止めなどにより固定することにより合成樹脂の吊り下げ強度を得ることができる。
【００２１】
また、前記取付金具４９と前記台枠３６を引っかけ構造にすることで製造工数を削減できる。
【００２２】
図４〜図７は取付金具４９及び台枠３６に対する前記取付金具４９の取り付け部とその係合状態を拡大して示しており、前記取付金具４９は側面形状がＬ字形を呈し、上下方向に向く板部４９ａに矩形の開口部５０が形成され、水平方向に向く板部４９ｂの先端に吊りボルト４８を挿入するほぼＴ字形の切り欠き穴５１が形成されている。一方前記台枠３６の両端部における前後両端近傍部に下端に開口部を持つ箱体の取付金具固定部５２を設けてある。取付金具固定部５２は前記台枠３６の側面からＵ字状に突出するように形成され外面の上端近傍部に上方に膨らむ凸部５３ａを備えた爪片５３と、この爪片５３の外側を取り囲む下端開口のカバー部５４とから構成され、前記爪片５３の両側部および上端部における台枠３６の側面は切り抜かれて爪片５３に弾性を有らせしめている。５５は前記爪片５３の上部において前記カバー部５４の上端に形成された開口部である。さらに、前記爪片５３形成位置における台枠３６の側面の内側は後述する爪片５３と取付金具４９の開口部５０との係合を解除させる際の開口部５５に対する治具の差し込みの邪魔にならないように構成されている。このような構成の取付金具固定部５２の爪片５３の凸部５３ａに取付金具４９の開口部５０を係合させて爪片５３に取付金具４９を取り付ける場合は、先ず取付金具４９をカバー部５４の下端開口から取付金具４９の上下方向に向く板部４９ａを差し込み、前記開口部５０を前記爪片５３の凸部５３ａに係合させれば良い。このようにして台枠３６に取り付けられた取付金具４９の切り欠き穴５１に前記吊りボルト４８を嵌め込み、取付金具４９の水平方向に向く板部４９ｂの上下で吊りボルト４８に螺合するナット５６を前記板部４９ｂに対し締め付けることにより空気調和機が吊りボルト４８に吊り下げられる。なお、取付金具４９の上下方向に向く板部４９ａの開口部５０を爪片５３の凸部５３ａに係合させた状態において、前記カバー部５４の内面は上下方向に向く板部４９ａの外面に近接しており、上下方向に向く板部４９ａは爪片５３の凸部５３ａから勝手に外れないようになっている。取付金具４９を前記爪片５３から外す場合は、適当な治具を用いて前記開口部５５から爪片５３を台枠３６側に傾け、爪片５３と取付金具４９の開口部５０との係合を外した状態で取付金具４９を取付金具固定部５２の下端から下方に移動させることで台枠３６から取付金具４９を簡単に外すことができる。
【００２３】
上記構成において、合成樹脂製の空気調和機を吊り下げるには、本体荷重は下方に向くが、取付金具４９は上下方向に向く板部４９ａの開口部５０を爪片５３の凸部５３ａに係合すること、およびカバー部５４の内面は上下方向に向く板部４９ａの外面に近接していることから、取付金具４９は台枠３６から外れることなく、合成樹脂の吊り下げ強度を得ることができる。また、部品点数を削減できる。
【００２４】
図８〜図１０は取付金具４９及び台枠３６に対する前記取付金具４９の取り付け部とその係合状態を拡大して示しており、前記取付金具４９は側面形状がＬ字形を呈し、上下方向に向く板部４９ａに凸部５３ａを備えた爪片５３から構成され、前記爪片５３の両側部は切り抜かれて爪片５３に弾性を有らせしめている。水平方向に向く板部４９ｂの先端に吊りボルト４８を挿入するほぼＴ字形の切り欠き穴５１が形成されている。一方前記台枠３６の両端部における前後両端近傍部に下端に開口部を持つ箱体の取付金具固定部５２を設けてある。取付金具固定部５２は前記台枠３６の側面に矩形の開口部５０が形成され、この開口部５０の外側を取り囲む下端開口のカバー部５４とから構成され、５５は前記開口部５０の上部において前記カバー部５４の上端に形成された開口部である。さらに、前記開口部５０形成位置における台枠３６の側面の内側は後述する開口部５０と取付金具４９の爪片５３との係合を解除させる際の開口部５５に対する治具の差し込みの邪魔にならないように構成されている。このような構成の取付金具４９の爪片５３の凸部５３ａに取付金具固定部５２の開口部５０を係合させて取付金具４９の爪片５３に取付金具固定部５２の開口部５０を取り付ける場合は、先ず取付金具４９をカバー部５４の下端開口から取付金具４９の上下方向に向く板部４９ａを差し込み、前記爪片５３の凸部５３ａに前記開口部５０を係合させれば良い。このようにして台枠３６に取り付けられた取付金具４９の切り欠き穴５１に前記吊りボルト４８を嵌め込み、取付金具４９の水平方向に向く板部４９ｂの上下で吊りボルト４８に螺合するナット５６を前記板部４９ｂに対し締め付けることにより空気調和機が吊りボルト４８に吊り下げられる。なお、取付金具４９の上下方向に向く板部４９ａの爪片５３の凸部５３ａを開口部５０に係合させた状態において、前記カバー部５４の内面は上下方向に向く板部４９ａの外面に近接しており、上下方向に向く板部４９ａは開口部５０から勝手に外れないようになっている。取付金具４９を前記開口部５０から外す場合は、適当な治具を用いて前記開口部５５から爪片５３を台枠３６と反対側に傾け、開口部５０と取付金具４９の爪片５３との係合を外した状態で取付金具４９を取付金具固定部５２の下端から下方に移動させることで台枠３６から取付金具４９を簡単に外すことができる。
【００２５】
上記構成において、合成樹脂製の空気調和機を吊り下げるには、本体荷重は下方に向くが、取付金具４９は上下方向に向く板部４９ａの爪片５３の凸部５３ａを開口部５０に係合すること、およびカバー部５４の内面は上下方向に向く板部４９ａの外面に近接していることから、取付金具４９は台枠３６から外れることなく、合成樹脂の吊り下げ強度を得ることができる。また、台枠３６の樹脂成形も容易に行うことができる。
【００２６】
ところで、前記取付金具４９としては前記図４に示す構成の他、図１１や図１２に示す構成のものが使用される。前記図４に示す構成のものは水平方向に向く板部４９ｂの長さが短いが、図１１に示す構成のものは水平方向に向く板部４９ｂの長さが長く、また図１２に示す構成のものは水平方向に向く板部４９ｂが湾曲している。そして、これらの取付金具４９を適宜組み合わせることにより、図１３〜図１５に示すように吊りボルト４８の位置に取付金具４９の切り欠き穴５１を合わせることができるものである。即ち、図１３に示すように空気調和機本体３１の長辺側における吊りボルト４８間の距離がＬ１、短辺側における吊りボルト４８間の距離がＬ２とした場合は、空気調和機本体３１の両側部における前後両端近傍部に設けられる取付金具４９は前記図４に示す取付金具を用いればよいが、図１４に示すように空気調和機本体３１の長辺側における吊りボルト４８間の距離がＬ１＋Ｌ３、短辺側における吊りボルト間の距離がＬ２とした場合は、空気調和機本体３１の一側部における前後両端近傍部に設けられる取付金具４９は前記図４に示す取付金具４９を用いれば良く、空気調和機本体３１の他側部における前後両端近傍部に設けられる取付金具４９は前記図１１に示す取付金具４９を用いれば良い。さらに図１５に示すように空気調和機３１の長辺側における吊りボルト４８間の距離Ｌ１、短辺側における吊りボルト４８間の距離がＬ２＋Ｌ４とした場合は、空気調和機３１の両端部における前端近傍部に設けられる取付金具４９は前記図４に示す取付金具４９を用いれば良く、空気調和機本体３１の両側部における後端近傍部に設けられる取付金具４９は前記図１２に示す取付金具４９を用いれば良い。
【００２７】
従って、係る複数種類の取付金具４９を用いることにより、空気調和機の買い換え、取り換えなどのとき、古い空気調和機と新しい空気調和機の寸法が異なっても吊りボルト４８の付け替えを行う必要がなく、容易に空気調和機を据え付けることができる。
【００２８】
本発明の第７実施例について説明すると、図１〜図３において、３１は天井３２内に埋め込まれた空気調和機本体、３３は空気調和機本体３１の下方に固定され天井３２の表面に露出した化粧パネルである。３４は化粧パネル３３に設けた吸い込み部、３５は化粧パネル３３に設けた吹き出し開口部である。前記化粧パネル３３は現場で施工業者により後付けとして設置される。３６は空気調和機３１の上半分を構成する合成樹脂製の台枠で、下端が開口している。
【００２９】
３７は送風作用を行うクロスフローファン、３８はクロスフローファン３７の軸３９側を支持する軸受、４０はクロスフローファン３７のボス４１側を支持するファンモーターである。４２は室内空気と冷媒の熱交換を行う熱交換器、４３は熱交換器４２から機外へ導出する補助配管である。また、４４は空気調和機の運転制御を行うコントロール部（図示なし）を収納する電源箱、４５はファンモーター４０を支持するファンモーター取付具である。また４６は熱交換器４２から排出されるドレン水を受ける合成樹脂の成形品と合成樹脂の発泡成型品（たとえば発泡スチロール成型品）を重合させて形成し、空気調和機の下部を構成する水受皿である。４７は水受皿４６の内部に設けられたドレンポンプである。
【００３０】
ところで、前記台枠３６の長手方向の両側面には空気調和機を吊り下げるため、屋根裏から吊り下げられた吊りボルト４８に固定する複数個の取付金具４９が設けられる。
【００３１】
前記取付金具４９と前記台枠３６を接着，密接，ネジ止めなどにより固定することにより合成樹脂の吊り下げ強度を得ることができる。
【００３２】
また、前記取付金具４９と前記台枠３６の引っかけ構造を以下に説明する。図４〜図７の前記台枠３６に対する取付金具４９の取り付け部を拡大して示しており、前記取付金具４９は側面形状がＬ字形を呈し、上下方向に向く板部４９ａに矩形の開口部５０が形成され、水平方向に向く板部４９ｂの先端に吊りボルト４８を挿入するほぼＴ字形の切り欠き穴５１が形成されている。一方前記台枠３６の両端部における前後両端近傍部に下端に開口部を持つ箱体の取付金具固定部５２を設けてある。取付金具固定部５２は前記台枠３６の側面からＵ字状に突出するように形成され外面の上端近傍部に上方に膨らむ凸部５３ａを備えた爪片５３と、この爪片５３の外側を取り囲む下端開口のカバー部５４とから構成され、前記爪片５３の両側部および上端部における台枠３６の側面は切り抜かれて爪片５３に弾性を有らせしめている。５５は前記爪片５３の上部において前記カバー部５４の上端に形成された開口部である。さらに、前記爪片５３形成位置における台枠３６の側面の内側は後述する爪片５３と取付金具４９の開口部５０との係合を解除させる際の開口部５５に対する治具の差し込みの邪魔にならないように構成されている。このような構成の取付金具固定部５２の爪片５３の凸部５３ａに取付金具４９の開口部５０を係合させて爪片５３に取付金具４９を取り付ける場合は、先ず取付金具４９をカバー部５４の下端開口から取付金具４９の上下方向に向く板部４９ａを差し込み、前記開口部５０を前記爪片５３の凸部５３ａに係合させれば良い。このようにして台枠３６に取り付けられた取付金具４９の切り欠き穴５１に前記吊りボルト４８を嵌め込み、取付金具４９の水平方向に向く板部４９ｂの上下で吊りボルト４８に螺合するナット５６を前記板部４９ｂに対し締め付けることにより空気調和機が吊りボルト４８に吊り下げられる。なお、取付金具４９の上下方向に向く板部４９ａの開口部５０を爪片５３の凸部５３ａに係合させた状態において、前記カバー部５４の内面は上下方向に向く板部４９ａの外面に近接しており、上下方向に向く板部４９ａは爪片５３の凸部５３ａから勝手に外れないようになっている。取付金具４９を前記爪片５３から外す場合は、適当な治具を用いて前記開口部５５から爪片５３を台枠３６側に傾け、爪片５３と取付金具４９の開口部５０との係合を外した状態で取付金具４９を取付金具固定部５２の下端から下方に移動させることで台枠３６から取付金具４９を簡単に外すことができる。
【００３３】
そして、図１６〜図１７に吊りボルト４８に対する化粧パネル取付金具６０の取付部を拡大して示しており、前記化粧パネル取付金具６０はコ字形もしくはＺ字形を呈し、水平方向に向く板部６０ａの先端に吊りボルト４８を挿入するほぼＴ字形の切り欠き穴５１が形成され、この水平方向に向く板部６０ａよりも下方に突出する他方の板部の下端に水平方向に向く板部５７を連設し、化粧パネル取付金具６０の切り欠き穴５１に前記吊りボルト４８を嵌め込み、化粧パネル取付金具６０の水平方向に向く板部６０ａの上下で吊りボルト４８に螺合するナット５６を前記板部６０ａに対し締め付けることにより空気調和機が吊りボルト４８に吊り下げられ、前記板部５７に化粧パネル３３固定用ねじ穴５８を設けて、図１７に示すように化粧パネル３３をビス５９により固定するように構成されている。
【００３４】
さらに、化粧パネル取付金具６０としては前記図１６に示す構成の他、図１８に示す構成のものも使用される。図１８に示す構成のものは、前記化粧パネル取付金具６０はコ字形もしくはＺ字形を呈し、水平方向に向く板部６０ａの先端に取付金具４９固定用ねじ穴６１を設けて、この水平方向に向く板部６０ａよりも下方に突出する他方の板部の下端に水平方向に向く板部５７を連設し、図１９に示すように化粧パネル取付金具６０を取付金具４９にビスなどにより固定し、化粧パネル３３をビス５９により化粧パネル取付金具６０に固定するように構成されている。
【００３５】
さらに、取付金具４９としては前記図４，図１１，図１２に示す構成の他、図２０に示す構成のものも使用される。図２０に示す構成のものは１枚の金属板の上端を２つ折りして、２重構造の板部に前記開口部５０を形成し、２重構造の板部の一方に切り欠き穴５１が形成されてなる水平方向に向く板部４９ｂを連設し、この水平方向に向く板部４９ｂよりも下方に突出する他方の板部の下端に水平方向に向く板部５７を連設し、この板部５７に化粧パネル３３固定用ねじ穴５８を設けて、図２１に示すように化粧パネル３３をビス５９により固定するように構成されている。
【００３６】
上記構成において、合成樹脂製の空気調和機を吊り下げるには、本体荷重は下方に向くが、取付金具４９は上下方向に向く板部の開口部５０を爪片５３の凸部５３ａに係合すること、およびカバー部５４の内面は上下方向に向く板部の外面に近接していることから、取付金具４９は台枠３６から外れることなく、合成樹脂の吊り下げ強度を得ることができる。また、万一取付金具固定部５２が破損したとしても化粧パネル３３が吊りボルト４８に固定されているので空気調和機本体３１を化粧パネル３３により支えられるので空気調和機本体３１の落下等を防ぐことができる。
【００３９】
【発明の効果】
請求項１に記載の発明は、取付金具は側面形状がＬ字形を呈し、上下方向に向く板部に開口部が形成され、水平方向に向く板部の先端に締め付け用ナットを備えた吊りボルトを挿入するほぼＴ字形の切り欠き穴が形成されており、台枠側には前後両端近傍部に下端に開口部を持つ箱体の取付金具固定部を設け、この取付金具固定部は前記台枠の側面からＵ字状に突出するように形成され外面の上端近傍部に前記取付金具の前記開口部が係合するように上方に膨らむ凸部を備えた弾性を有する爪片と、この爪片の外側を取り囲み上下方向に向く板部が前記爪片の凸部から外れないように保持するためのカバー部とを備え、このカバー部の上端に前記爪片と上下方向に向く板部との係合を外すための開口部を形成してなるもので、製造上の部品点数削減、工数削減することができ、施工現場で容易に取付金具を交換することができる。
【００４０】
請求項２に記載の発明は、取付金具は側面形状がＬ字形を呈し、上下方向に向く板部に凸部を備えた弾性を有する爪片が形成され、水平方向に向く板部の先端に締め付け用ナットを備えた吊りボルトを挿入するほぼＴ字形の切り欠き穴が形成されており、台枠側には前後両端近傍部に下端に開口部を持つ箱体の取付金具固定部を設け、この取付金具固定部は前記台枠の側面に前記取付金具の凸部が係合するように開口部と前記爪片の凸部から外れないように保持するためのカバー部とを備え、このカバー部の上端に前記開口部と上下方向に向く板部の爪片との係合を外すための開口部を形成してなるもので、合成樹脂台枠の取付金具固定部形状を開口部にすることで樹脂成形を容易にし、合成樹脂の反りなどの影響を受けないようにし、空気調和機を支える強度を得ることができる。
【００４１】
請求項３に記載の発明は、取付金具は水平方向に向く板部の長さの異なるものを備えてなり、請求項４に記載の発明は、取付金具は水平方向に向く板部が湾曲してなるものを備えてなるもので、空気調和機の買い換え、取り替えなどのとき、古い空気調和機と新しい空気調和機の寸法が異なっても吊りボルトの付け替えを行う必要がなく、容易に空気調和機を据え付けることができる。
【００４４】
請求項５に記載の発明は、取付金具は１枚の金属板の上端を２つ折りして、上下方向に向く２重構造の板部に開口部を形成し、２重構造の板部の一方にほぼＴ字形の切り欠き穴が形成されてなる水平方向に向く板部を連設し、この水平方向に向く板部よりも下方に突出する他方の板部の下端に水平方向に向く板部を連設し、この板部に化粧パネル固定穴を設けてなるもので、取付金具を２つ折りにすることで空気調和機本体の吊り強度を得ることができ、吊り金具と化粧パネルの取付金具を一体にすることで製造上の作業性、施工性の向上を得ることができる。また、空気調和機本体と化粧パネルとを吊りボルトで各々吊り下げることができることで、万が一台枠の取付金具固定部が破損した場合でも化粧パネルで空気調和機本体を支えることにより本体が落下する事はない。
【図面の簡単な説明】
【図１】本発明の実施例を示す空気調和機の取り付け部の正面図
【図２】同空気調和機の取り付け部の側面断面図
【図３】同空気調和機の分解斜視図
【図４】同取付金具の第１の例を示す斜視図
【図５】同空気調和機の取付金具固定部の拡大斜視図
【図６】同空気調和機の取付金具固定部の拡大断面図
【図７】同空気調和機の取付金具固定部と取付金具との係合状態を示す拡大断面図
【図８】同取付金具の第２の例を示す斜視図
【図９】同空気調和機の取付金具固定部の拡大斜視図
【図１０】同空気調和機の取付金具固定部と取付金具との係合状態を示す拡大断面図
【図１１】同取付金具の第３の例を示す斜視図
【図１２】同取付金具の第４の例を示す斜視図
【図１３】同空気調和機の第１の取付例を示す平面図
【図１４】同空気調和機の第２の取付例を示す平面図
【図１５】同空気調和機の第３の取付例を示す平面図
【図１６】同取付金具の第５の例を示す斜視図
【図１７】同第５の例の取付金具の使用例を示す拡大断面図
【図１８】同取付金具の第６の例を示す斜視図
【図１９】同第６の例の取付金具の使用例を示す拡大断面図
【図２０】同取付金具の第７の例を示す斜視図
【図２１】同第７の例の取付金具の使用例を示す拡大断面図
【図２２】従来例を示す空気調和機の分解斜視図
【図２３】同空気調和機の取り付け部の側面断面図
【図２４】同空気調和機の取り付け部の要部拡大斜視図
【符号の説明】
３１  空気調和機本体
３２  天井
３３  化粧パネル
３４  吸い込み部
３５  吹き出し開口部
３６  台枠
３７  クロスフローファン
４０  ファンモーター
４２  熱交換器
４７  ドレンポンプ
４８  吊りボルト
４９  取付金具
４９ａ  上下方向に向く板部
４９ｂ，５７，６０ａ  水平方向に向く板部
５０，５５  開口部
５１  切り欠き穴
５２  取付金具固定部
５３  爪片
５３ａ  凸部
５４  カバー部
５６  ナット
５８  化粧パネル固定用ねじ穴
５９  ビス
６０  化粧パネル取付金具
６１  化粧パネル取付金具固定用ねじ穴
【図１】
0003596251.tif 000002
【図２】
0003596251.tif 000003
【図３】
0003596251.tif 000004
【図４】
0003596251.tif 000005
【図５】
0003596251.tif 000006
【図６】
0003596251.tif 000007
【図７】
0003596251.tif 000008
【図８】
0003596251.tif 000009
【図９】
0003596251.tif 000010
【図１０】
0003596251.tif 000011
【図１１】
0003596251.tif 000012
【図１２】
0003596251.tif 000013
【図１３】
0003596251.tif 000014
【図１４】
0003596251.tif 000015
【図１５】
0003596251.tif 000016
【図１６】
0003596251.tif 000017
【図１７】
0003596251.tif 000018
【図１８】
0003596251.tif 000019
【図１９】
0003596251.tif 000020
【図２０】
0003596251.tif 000021
【図２１】
0003596251.tif 000022
【図２２】
0003596251.tif 000023
【図２３】
0003596251.tif 000024
【図２４】
0003596251.tif 000025